(57)【要約】【課題】外装材を安定良くしっかりと建物躯体に連結することができる外断熱の外壁構造を提供する。【解決手段】建物の躯体１，２，２の屋外側に外断熱用の断熱材３，３が備えられ、該断熱材の更に屋外側に外装材４，４が備えられた外断熱の外壁構造において、躯体２と外装材４とが金物５で連結され、外装材４の荷重が該金物５を通じて躯体２，１に伝えられるようになされている。また、外装材４，４間の目地６の背後に外断熱材７が備えられ、前記金物５が、目地６の長手方向に沿って延びる長物からなって、該目地部外断熱材７と外装材４との間に差し込まれる止水ベース部５ｃを備え、該止水ベース部５ｃと目地部外断熱材７との間に止水材８が介設されている。【選択図】      図１
2005105635.tif 000002
【特許請求の範囲】
【請求項１】
建物の躯体の屋外側に外断熱用の断熱材が備えられ、該断熱材の更に屋外側に外装材が備えられた外断熱の外壁構造において、
前記躯体と外装材とが金物で連結され、外装材の荷重が該金物を通じて躯体に伝えられるようになされていることを特徴とする外断熱の外壁構造。
【請求項２】
前記外装材間の目地の背後に外断熱材が備えられ、
前記金物が、目地の長手方向に沿って延びる長物からなって、該目地部外断熱材と外装材との間に差し込まれる止水ベース部を備え、該止水ベース部と目地部外断熱材との間に止水材が介設されている請求項１に記載の外断熱の外壁構造。
【発明の詳細な説明】
【技術分野】
【０００１】
本発明は、外断熱の外壁構造に関する。
【背景技術】
【０００２】
外断熱の外壁構造では、建物の軸組などの躯体の屋外側に、発泡樹脂などからなる外断熱用の断熱材が備えられ、更にその外側に外装材が備えられるため、外装材と躯体との間に距離があり、そのため、重量の大きい外装材を用いて外断熱の外壁構造を形成しようとすると、外装材が自重で垂れ下がる危険性がある。また、外断熱用の断熱材はいずれにしてもそう硬いものではないので、外装材の重量の如何にかかわらず、外装材を外断熱材を介して安定良く躯体に連結することは必ずしも容易なことではない。
【発明の開示】
【発明が解決しようとする課題】
【０００３】
本発明は、上記のような背景において、外装材を安定良くしっかりと建物躯体に連結することができる外断熱の外壁構造を提供することを課題とする。
【課題を解決するための手段】
【０００４】
上記の課題は、建物の躯体の屋外側に外断熱用の断熱材が備えられ、該断熱材の更に屋外側に外装材が備えられた外断熱の外壁構造において、
前記躯体と外装材とが金物で連結され、外装材の荷重が該金物を通じて躯体に伝えられるようになされていることを特徴とする外断熱の外壁構造によって解決される。
【０００５】
この構造では、躯体と外装材とが金物で連結され、外装材の荷重が該金物を通じて躯体に伝えられるようになされているので、躯体と外装材との間に外断熱用の断熱材が備えられているにもかかわらず、外装材を安定良くしっかりと建物躯体に連結することができる。
【０００６】
上記の構造において、外装材間の目地の背後に外断熱材が備えられ、
前記金物が、目地の長手方向に沿って延びる長物からなって、該目地部外断熱材と外装材との間に差し込まれる止水ベース部を備え、該止水ベース部と目地部外断熱材との間に止水材が介設されているとよい。
【０００７】
この場合は、外装材間の目地の背後に備えられた外断熱材によって、外断熱の効果を高いものにすることができる。
【０００８】
ところで、このように、外装材間の目地の背後に外断熱断熱材を備えさせると、断熱材は上記のように必ずしも硬くてしっかりとしたものではないので、目地付近におけるこの断熱材と外装材とを止水材の当てにして止水材を設置すると、止水性能が十分に確保されない場合がある。そこで、外装材と躯体とを連結する上記の金物を、そのような止水材の当てとして利用したのである。
【０００９】
即ち、外装材と躯体との連結は目地付近で行われるのが一般的であり、外装材の目地付近には金物が備えられている。そこで、その金物を、目地の長手方向に沿って延びる長物によって構成し、この金物に、目地背後の上記の外断熱材と外装材との間に差し込まれる止水ベース部を備えさせ、該止水ベース部と目地部外断熱材との間に止水材を介設したのである。
【００１０】
これにより、止水材の当ての一方が目地部外断熱材であっても、当てのもう一方は金物の止水ベースとなるので、目地部外断熱材と外装材との間を止水材でしっかりと止水することが可能となる。しかも、止水ベース部は金物に備えられているので、止水性確保のための部品点数が増えることもなく、止水部の形成を容易にかつコスト的に有利に行うことができる。
【発明の効果】
【００１１】
本発明は、以上のとおりのものであるから、外装材を安定良くしっかりと建物躯体に連結することができる。従ってまた、外断熱材に求められる強度などの性能を緩和することができる。
【００１２】
また、目地部の背後に備えさせた外断熱材によって断熱性能を高いものにすることができると共に、目地部背後の外断熱材と外装材との間を簡素な構造でしっかりとした止水状態にすることができ、その止水部の耐久性を向上することができる。
【発明を実施するための最良の形態】
【００１３】
次に、本発明の実施最良形態を図面に基づいて説明する。
【００１４】
図１及び図２に示す実施形態の外断熱外壁構造において、１は鉄骨柱による軸組躯体、２，２は外壁パネルの鋼製パネルフレームによる軸組躯体、３，３は外断熱材、４，４は外装材、５は金物である。
【００１５】
外断熱材３は、例えば、独立気泡を備えた発泡樹脂などからなっていて、上記の軸組躯体１，２，２の屋外側に備えられ、外装材４は更にその外側に備えられている。なお、外装材４には、その背面側に、木や発泡樹脂などからなる下地４ｂが備えられている。そして、外断熱材３の存在によって軸組躯体２，１から距離をおくことになった外装材４，４が、金物５によって軸組躯体２と連結されている。
【００１６】
金物５は、金属板の加工品からなっていて、断面ｈ字状をしており、そのコ字状部によって外断熱材３の側部を回り込み、コ字状部の中間辺を挟む一方の辺５ａがパネルフレーム２に取り付けられると共に、もう一方の辺５ｂが外装材４の下地４ｂを介して外装材本体４ａにビスなどによって取り付けられ、外装材４の荷重が金物５を通じて軸組躯体２，１に伝えられるようになされている。
【００１７】
なお、金物５は、軸組躯体２と外装材４とを安定良くしっかりと連結するに十分な強度を備えているが、軸組躯体１，２の肉厚寸法よりも小さく、躯体としての性能までは備えていない。
【００１８】
そして、左右の外装材４，４間の縦目地６の背後に、左右の金物５，５に挟まれるようにして、目地部外断熱材７が備えられており、また、上記の金物５は、ピース物であってもよいが、本実施形態では長物からなっていて、コ字状部から突出する延長辺部５ｃを止水ベース部として、該止水ベース部５ｃが、外装材４と目地部外断熱材７との間に差込み状態で突出し、この止水ベース部５ｃと目地部外断熱材７との間に乾式の面状止水材８が介設され、それによって、外装材４と目地部外断熱材７との間が止水されている。本実施形態では、この面状止水材８は二次止水材として用いられ、外装材４，４間に図示しない乾式あるいは湿式の一次止水材が設けられる。なお、９は内装用の下地材である。
【００１９】
上記の外断熱外壁構造では、外装材４と軸組躯体２とが金物５で連結され、外装材４の荷重が該金物５を通じて軸組躯体２，１に伝えられるようになされているので、軸組躯体１，２，２と外装材４，４との間に外断熱材３，３が備えられているにもかかわらず、外装材４，４を安定良くしっかりと軸組躯体２，２，１に連結することができる。
【００２０】
しかも、外装材４，４間の目地６の背後にも目地部外断熱材７が備えられているので、外断熱の効果を高いものにすることができる。
【００２１】
そして、金物５には止水ベース部５ｃが備えられ、該止水ベース部５ｃを止水材８の当ての一方として、止水ベース部５ｃと目地部外断熱材７との間に止水材８が介設されているので、目地部外断熱材７と外装材４との間をこの止水材８によってしっかりとした止水状態にすることができる。なお、上記の金物５は、非発泡の硬質の樹脂成形品からなっていてもよく、その場合であっても、非発泡の硬質の樹脂からなる止水ベース部５ｃを止水材８の当ての一方としてしっかりとした止水状態を形成することができる。
【００２２】
以上に、本発明の実施形態を示したが、本発明はこれに限られるものではなく、発明思想を逸脱しない範囲で各種の変更が可能である。例えば、金物の具体的形態に制限はなく、周囲との取り合い関係によってさまざまな形態をしていてよいし、また、金物と外装材との連結や、金物と躯体との連結についても様々な連結手段で連結されていてよい。
【００２３】
また、本発明の適用対象は、鉄骨軸組構造の建物に限られるものではなく、木造軸組構造の建物であってもよいし、軸組構造以外の建物であってもよいし、鉄筋コンクリートや鉄骨鉄筋コンクリート、鉄骨コンクリート等あらゆる躯体構造をした各種建物に広く用いることができるものであることはいうまでもない。
【図面の簡単な説明】
【００２４】
【図１】実施形態の外断熱外壁構造を示す断面平面図である。
【図２】同分解斜視図である。
【符号の説明】
【００２５】
１…柱（躯体）
２…パネルフレーム（躯体） 
３…外断熱材
４…外装材
５…金物
５ｃ…止水ベース部
６…目地
７…目地部外断熱材
８…止水材
【図１】
2005105635.tif 000003
【図２】
2005105635.tif 000004